【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
・第１層が、少なくとも１種のポリマーアニオン、および一般式（I）：
【化１】
2007207750.tif 000001
［式中、
Ａは、任意に置換されていてよいＣ1〜Ｃ5アルキレン基を表し、
Ｒは、直鎖または分枝の任意に置換されていてよいＣ1〜Ｃ18アルキル基、任意に置換されていてよいＣ5〜Ｃ12シクロアルキル基、任意に置換されていてよいＣ6〜Ｃ14アリール基、任意に置換されていてよいＣ7〜Ｃ18アラルキル基、任意に置換されていてよいＣ1〜Ｃ4ヒドロキシアルキル基またはヒドロキシル基を表し、
ｘは、０〜８の整数を表し、
複数のＲ基がＡと結合している場合、それらは、同じまたは異なるものであり得る。］
で示される反復単位を有する少なくとも１種の任意に置換されていてよいポリチオフェン含む分散体（分散体中の粒子の５０重量％は５０ｎｍ未満である。）を適当な基材に塗布し、次いでそれを凝固させることによって製造され、
・第２層が、少なくとも１種の有機正孔注入物質および任意に少なくとも１種のアニオンを（溶液または分散体から或いは物理蒸着によって）第１層に塗布し、場合により、その後それを凝固させることによって製造される
ことを特徴とする、少なくとも２層を有する電極の製造方法。
【請求項２】
有機正孔注入物質が、一般式（II-a）および／または（II-b）：
【化２】
2007207750.tif 000002
［式中、
Ａは、任意に置換されていてよいＣ1〜Ｃ5アルキレン基を表し、
Ｙは、ＯまたはＳを表し、
Ｒは、直鎖または分枝の任意に置換されていてよいＣ1〜Ｃ18アルキル基、任意に置換されていてよいＣ5〜Ｃ12シクロアルキル基、任意に置換されていてよいＣ6〜Ｃ14アリール基、任意に置換されていてよいＣ7〜Ｃ18アラルキル基、任意に置換されていてよいＣ1〜Ｃ4ヒドロキシアルキル基またはヒドロキシル基を表し、
ｘは、０〜８の整数を表し、
複数のＲ基がＡと結合している場合、それらは、同じまたは異なるものであり得る。］
で示される反復単位を有する任意に置換されていてよいポリチオフェンであり、場合により少なくとも１種のポリマーアニオンも含むことを特徴とする、請求項１に記載の方法。
【請求項３】
請求項１又は２に記載の方法によって得られる電極。
【請求項４】
電気光学構造物における透明電極としての、請求項３に記載の電極の使用。
【請求項５】
少なくとも１つの電極が透明電極である少なくとも２つの電極、および該電極間の電気光学活性層を含むエレクトロルミネセンス装置であって、請求項３に記載の電極を透明電極として有することを特徴とするエレクトロルミネセンス装置。
【請求項６】
少なくとも１種のポリマーアニオン、少なくとも１種の溶媒、および一般式（I）：
【化３】
2007207750.tif 000003
［式中、
Ａは、任意に置換されていてよいＣ1〜Ｃ5アルキレン基を表し、
Ｒは、直鎖または分枝の任意に置換されていてよいＣ1〜Ｃ18アルキル基、任意に置換されていてよいＣ5〜Ｃ12シクロアルキル基、任意に置換されていてよいＣ6〜Ｃ14アリール基、任意に置換されていてよいＣ7〜Ｃ18アラルキル基、任意に置換されていてよいＣ1〜Ｃ4ヒドロキシアルキル基またはヒドロキシル基を表し、
ｘは、０〜８の整数を表し、
複数のＲ基がＡと結合している場合、それらは、同じまたは異なるものであり得る。］で示される反復単位を有する少なくとも１種の任意に置換されていてよいポリチオフェンを含む分散体であって、粒子の５０重量％が５０ｎｍ未満であり、分散体の総重量に基づいて少なくとも０．１重量％の、エーテル基含有化合物、ラクトン基含有化合物、アミドまたはラクタム基含有化合物、スルホン、スルホキシド、糖または糖誘導体、糖アルコール、フラン誘導体およびジアルコールまたはポリアルコールからなる群から選ばれる１種以上の添加剤を含むことを特徴とする、分散体。
【手続補正２】
【補正対象書類名】明細書
【補正対象項目名】０００３
【補正方法】変更
【補正の内容】
【０００３】
しかしながらディスプレイに加えてＯＬＥＤは、採光目的のために、例えば大領域放射エミッターにおいて使用することもできる。その非常にフラットな構成の故にそれらを、従来不可能であった非常に薄い発光要素を構成するために使用することができる。ＯＬＥＤの発光効率は、今や、熱放射エミッター、例えば白熱電球のものを超え、発光スペクトルは、原則、エミッター物質の適切な選択により望ましいように変えることができる。
ＯＬＥＤディスプレイまたはＯＬＥＤ採光要素のいずれも、フラットな硬質構成に限定されない。柔軟な、またはあらゆる様式で曲げられる装置も、有機機能層の柔軟性の故に実現することができる。
【手続補正３】
【補正対象書類名】明細書
【補正対象項目名】０００６
【補正方法】変更
【補正の内容】
【０００６】
ＩＴＯ層は、ＯＬＥＤまたはＯＳＣの製造における重要なコスト要因である。ＩＴＯ層は、その高い導電率および高い透過率の故に使用される。しかしながらＩＴＯは、以下の無視できない欠点を有する：
ａ）ＩＴＯは、複雑で費用のかかる減圧法（反応スパッタリング）でしか付着させることができない。
ｂ）Ｔ＞４００℃の温度が、高導電率を達成させるために、付着法の際に要求される。特に柔軟なディスプレイに重要なポリマー基材は、この温度に耐えることができない。
ｃ）ＩＴＯはもろく、造形中に亀裂を生ずる。
ｄ）インジウム金属は、限定された量でしか生産されない原料であり、消費量が増大するにつれ欠乏が予想される。
ｅ）重金属のインジウムを含有する電気光学構造物の環境的に許容できる廃棄の問題は、まだ解決されていない。
【手続補正４】
【補正対象書類名】明細書
【補正対象項目名】０００７
【補正方法】変更
【補正の内容】
【０００７】
これらの欠点にも関わらずＩＴＯ層はまだ、その光吸収に対する導電率の有利な比、および特に適当な代替物の不存在を理由に使用されている。高導電率は、電動構造物の透明電極に対する低い電圧降下を維持するために要求される。
電極物質のためのＩＴＯの代替物は、これまでも議論されてきたが、上記欠点を有さず、同時に同等に良好な性質を電気光学構造物にもたらす代替物は、まだ見出されていない。
【手続補正５】
【補正対象書類名】明細書
【補正対象項目名】００５２
【補正方法】変更
【補正の内容】
【００５２】
例えば選択温度での所望の滞留時間が達成されるような速度で、被覆基材が、所望の温度で加熱室を通して移動させるか、またはホットプレートと、所望の温度で所望の滞留時間で接触させるように、熱処理を行うことができる。熱処理を、例えば１つの加熱炉、またはそれぞれ異なる温度を有する複数の加熱炉で行うこともできる。
【手続補正６】
【補正対象書類名】明細書
【補正対象項目名】００５７
【補正方法】変更
【補正の内容】
【００５７】
従って、本発明の方法は、好ましくは、複雑で費用のかかる物理蒸着またはスパッタリング法を用いずに実施することができる。これは、とりわけ、広範な表面への適用を可能にする。更に、ポリチオフェン／ポリアニオン層は、低温、好ましくは室温で適用され得る。従って、本発明の方法は、一般に低温法にしか許容されずＩＴＯ蒸着温度に耐えられない、ポリマーフレキシブル基材への適用にも適している。
【手続補正７】
【補正対象書類名】明細書
【補正対象項目名】００６６
【補正方法】変更
【補正の内容】
【００６６】
本発明の第１電極層の表面粗さは、例えば欧州特許出願公開第686 662号から既知の電極の表面粗さより有利には著しく小さく、それ故、ＯＬＥＤおよびＯＳＣにおける短絡の確率は本発明の電極によって低減される。
【手続補正８】
【補正対象書類名】明細書
【補正対象項目名】００７２
【補正方法】変更
【補正の内容】
【００７２】
そのようなＥＬ装置の最も単純な場合は、少なくとも１つは透明である２つの電極、およびこれら２つの電極の間の電気光学活性層からなる。しかしながら更なる機能層、例えば電荷注入、電荷移動または電荷遮蔽の中間層が、そのようなエレクトロルミネセンス層構造物中に更に含有され得る。この種の層構造物は、当業者に良く知られており、例えば J. R. Sheats ら, Science 273 (1996), 884 に記載されている。層は、複数の機能も有し得る。上記したＥＬ装置の最も単純な場合において、電気光学活性である、即ち一般に光を放射する層は、他の層の機能も有し得る。いずれかの電極または両方の電極を、適当な基材、即ち適当なキャリヤに適用することができる。次いで層構造物は、適切な接点を供給され、任意に外装および／またはカプセル封入される。